(57)【要約】  【課題】  マグネットを装着したマグネット矢を脱落させることなく磁性体シート製の的に容易に接着可能なものとする。【解決手段】  筒状のケーシング13、このケーシング13内に挿通固定した挿通筒14、この挿通筒14の後端16側に配置した弾性帯22、及び上記ケーシング13の底面23に設けた把持部材24を備えた矢保持具12と、この矢保持具12の挿通筒14内に上記弾性帯22の位置まで挿通可能とする長尺な棒状の矢本体2、この矢本体2の先端軸方向に突設した短軸形状の係合部材4、この係合部材4の先端に、係合間隔10を設けて回動自在且つ摺動可能に係合配置した支持部材5、この支持部材5の先端に固定配置した磁石3を備えたマグネット矢1とから成る。【選択図】図６
2019213838.tif 000002
【特許請求の範囲】
【請求項１】
長尺な棒状の矢本体と、この矢本体の先端軸方向に突設した短軸形状の係合部材と、この係合部材の先端に、係合間隔を設けて回動自在且つ摺動可能に係合配置した支持部材と、この支持部材の先端に固定配置した磁石とを備えたことを特徴とするマグネット矢。
【請求項２】
筒状のケーシング、このケーシング内に挿通固定した挿通筒、この挿通筒の後端側に配置した弾性帯、及び上記ケーシングの底面に設けた把持部材を備えた矢保持具と、この矢保持具の挿通筒内に上記弾性帯の位置まで挿通可能とする長尺な棒状の矢本体、この矢本体の先端軸方向に突設した短軸形状の係合部材、この係合部材の先端に、係合間隔を設けて回動自在且つ摺動可能に係合配置した支持部材、この支持部材の先端に固定配置した磁石を備えたマグネット矢とから成ることを特徴とする的当て遊技具。
【請求項３】
矢本体の先端外周に環状鍔を突設したことを特徴とする請求項１、または２のマグネット矢。
【請求項４】
矢本体の先端と支持部材との間には、弾性部材を備えたことを特徴とする請求項１、２、または３に記載のマグネット矢。
【請求項５】
矢保持具には、装着部材の把持部材からケーシングの後端側に延設杆を介して固定配置した掌当部を設け、この矢保持具の挿通筒の先端開口からマグネット矢を挿通し、このマグネット矢を上記弾性帯の付勢力に抗してケーシングの後端側に引き寄せた状態で、このマグネット矢の後端を、上記弾性帯を介して掌当部側から手指で把持固定し、標的に向けて上記手指をマグネット矢から離すことにより、このマグネット矢を上記弾性帯の付勢力により標的に向けて飛ばす的当て遊技を行うことを特徴とする請求項２、３、４、または５に記載の的当て遊技具。
【請求項６】
矢保持具には、上記挿通筒の先端開口に望ませて先端部を配置するとともに上記弾性帯よりも付勢力の強い板ばねを介して基端部側をケーシングに接続した平板状のトリガーを設け、この矢保持具の挿通筒にマグネット矢を挿通し、このマグネット矢を上記弾性帯の付勢力に抗してケーシングの後端側に引き寄せた状態で、このマグネット矢の環状鍔を上記トリガーの上端に係合し、このマグネット矢を上記板ばねの付勢力によって挿通筒内に位置固定した状態で、標的に向けてトリガーを引くことによって、このマグネット矢を弾性帯の付勢力により標的に向けて飛ばす的当て遊技を行うことを特徴とする請求項２、３、または４に記載の的当て遊技具。
【請求項７】
トリガー先端の挿通筒側である内面側には回動プレートを、この回動プレートの先端がトリガーの上端よりも突出するよう軸支して、この回動プレートを挿通筒側に回動自在とするとともに、この回動プレートには、挿通筒の対向面に、この回動プレートをトリガー側に付勢する弾性体を固定配置したことを特徴とする請求項６に記載の的当て遊技具。
【発明の詳細な説明】
【技術分野】
【０００１】
本発明は、年齢に関係なく子どもから老人まで楽しむことができる娯楽スポーツとして使用できるマグネット矢及びこのマグネット矢を備えた的当て遊技具に関するものである。
【背景技術】
【０００２】
従来より、特許文献１に示す如く、マグネットシートにて形成した標的と、先端にマグネットを備えた矢とを備えたマグネットダーツが既に公知となっている。このようなマグネットダーツは、マグネットを先端に向けた状態で標的に矢を射て遊ぶものである。そのため、矢の先端がマグネットとなっていることから、子どもから老人まで室内で安全にダーツを楽しむことが出来るものである。
【先行技術文献】
【特許文献】
【０００３】
【特許文献１】実登３１５１４２１号公報
【発明の開示】
【発明が解決しようとする課題】
【０００４】
しかしながら、上記のマグネットダーツでは、強い力で標的に向かって矢を射た際に、この矢の先端に設けたマグネットが標的に留まることなく標的に突き当たった反動により落下することが多く、的当てゲームが成立しない事態が生じやすいものとなっていた。
【０００５】
そこで、本発明は上述の如き課題を解決しようとするものであって、マグネットを設けたマグネット矢を落下させることなく磁性体シート製の標的に容易に接着可能にしようとするものである。
【課題を解決するための手段】
【０００６】
本願の第１発明は上述の如き課題を解決するため、長尺な棒状の矢本体と、この矢本体の先端軸方向に突設した短軸形状の係合部材と、この係合部材の先端に、係合間隔を設けて回動自在且つ摺動可能に係合配置した支持部材と、この支持部材の先端に固定配置した磁石とを備えたマグネット矢である。
【０００７】
また本願の第２発明は、筒状のケーシング、このケーシング内に挿通固定した挿通筒、この挿通筒の後端側に配置した弾性帯、及び上記ケーシングの底面に設けた把持部材を備えた矢保持具と、この矢保持具の挿通筒内に上記弾性帯の位置まで挿通可能とする長尺な棒状の矢本体、この矢本体の先端軸方向に突設した短軸形状の係合部材、この係合部材の先端に、係合間隔を設けて回動自在且つ摺動可能に係合配置した支持部材、この支持部材の先端に固定配置した磁石を備えたマグネット矢とから成るものである。
【０００８】
このように矢保持具を用いることにより、マグネット矢を矢保持具の挿通筒にするとともに、上記弾性帯の付勢力に抗してこのマグネット矢を引っ張り保持した後、このマグネット矢を上記弾性帯の付勢力によって標的に向けて飛ばすことが可能となる。そのため、マグネット矢を矢保持具にてしっかり保持した状態で、標的を狙って確実に飛ばすことができるため、この的当て遊技具を使用した的当て遊技の娯楽性を高める事が可能となる。
【０００９】
また上記マグネット矢は、矢本体の先端に環状鍔を突設したものであってもよい。
【００１０】
また上記マグネット矢は、矢本体の先端と支持部材との間に弾性部材を備えたものであってもよい。このように弾性部材を備えることにより、マグネット矢が標的に当接した際に、このマグネット矢の支持部材と矢本体との間の弾性部材によってマグネット矢の反発力をより吸収することができるため、支持部材への衝撃力が緩和されてマグネット矢の脱落を防ぐ効果が向上する。
【００１１】
また、矢保持具には、装着部材の把持部材からケーシングの後端側に延設杆を介して固定配置した掌当部を設け、この矢保持具の挿通筒の先端開口からマグネット矢を挿通し、このマグネット矢を上記弾性帯の付勢力に抗してケーシングの後端側に引き寄せた状態で、このマグネット矢の後端を、上記弾性帯を介して掌当部側から手指で把持固定し、標的に向けて上記手指をマグネット矢から離すことにより、このマグネット矢を上記弾性帯の付勢力により標的に向けて飛ばす的当て遊技を行うものであってもよい。
【００１２】
また矢保持具には、上記挿通筒の先端開口に望ませて先端部を配置するとともに上記弾性帯よりも付勢力の強い板ばねを介して基端部側をケーシングに接続した平板状のトリガーを設け、この矢保持具の挿通筒にマグネット矢を挿通し、このマグネット矢を上記弾性帯の付勢力に抗してケーシングの後端側に引き寄せた状態で、このマグネット矢の環状鍔を上記トリガーの上端に係合し、このマグネット矢を上記板ばねの付勢力によって挿通筒内に位置固定した状態で、標的に向けてトリガーを引くことによって、このマグネット矢を弾性帯の付勢力により標的に向けて飛ばす的当て遊技を行うものであってもよい。
【００１３】
このようにトリガーを設けることによって、矢保持具を片手で保持してマグネット矢を射ることができる。そのため怪我や障害などにより片方の手が使えない場合でも、もう片方の手のみで標的に矢を放つことができる。
【００１４】
また、上記トリガー先端の挿通筒側である内面側には回動プレートを、この回動プレートの先端がトリガーの上端よりも突出するよう軸支して、この回動プレートを挿通筒側に回動自在とするとともに、この回動プレートには、挿通筒の対向面に、この回動プレートをトリガー側に付勢する弾性体を固定配置したものであってもよい。このように回動プレートを設けることにより、マグネット矢を挿通筒に挿入配置する際にトリガーを引くことなく、弾性体の付勢力に抗して回動プレートを回動させ、この回動プレートにマグネット矢の環状鍔を容易に係合させることができる。そのため、トリガーの操作を行う必要なくマグネット矢をケーシングの挿通筒に容易に装着することが可能となる。
【発明の効果】
【００１５】
本願の第１、２発明は上記の如く、マグネット矢を構成する矢本体の係合部材に、磁石を備えた支持部材を回動自在且つ摺動可能に係合配置したものであるから、磁性体にて形成した標的にマグネット矢を射た場合に、この標的にマグネット矢の支持部材に設けた磁石を当接可能とするとともに、この当接時に、マグネット矢の反発力が、矢本体の係合部材と支持部材との間の係合間隔にて吸収されるものとなる。そのため、このマグネット矢を用いることにより、このマグネット矢を高い確率で標的に接着させることが可能となるため、的当て遊技としての娯楽性を更に高める事ができる。
【００１６】
また、本願の第２発明では上記マグネット矢と矢保持具とを用いることにより、マグネット矢を矢保持具の挿通筒にするとともに、上記弾性帯の付勢力に抗してこのマグネット矢を引っ張り保持した後、このマグネット矢を上記弾性帯の付勢力によって標的に向けて飛ばすことができる。そのため、マグネット矢を矢保持具にてしっかり保持した状態で、標的を狙って確実に飛ばすことができるため、この的当て遊技具を使用した的当て遊技の娯楽性を高める事が可能となる。
【図面の簡単な説明】
【００１７】
【図１】実施例１〜３のマグネット矢を示す側面図。
【図２】図１のＡ−Ａ線部分拡大断面図。
【図３】実施例１の矢装着具を示す斜視図。
【図４】実施例１の矢保持具にマグネット矢を装着した状態を示す断面図。
【図５】図４のＢ−Ｂ線部分拡大断面図。
【図６】実施例１においてマグネット矢を飛ばす場合の概念図。
【図７】実施例１においてマグネット矢を標的に向けて飛ばす場合の概念図。
【図８】実施例１、２において標的にマグネット矢が吸着した状態を示す側面図。
【図９】実施例２の矢保持具を示す斜視図。
【図１０】図９のＣ−Ｃ線断面図。
【図１１】実施例２の矢保持具にマグネット矢を装着した状態を示す断面図。
【図１２】実施例３の矢装着具を示す斜視図。
【図１３】実施例３の矢装着具を示す側面図。
【図１４】図１３の支持プレート部分を示す部分拡大側面図。
【図１５】図１２の部分拡大斜視図。
【図１６】矢保持具にマグネット矢を装着した状態を示す部分拡大側面図。
【図１７】マグネット矢を指で挿通筒に押圧した状態を示す部分拡大側面図。
【図１８】マグネット矢の環状鍔が回動プレートに係合した状態を示す部分拡大側面図。
【図１９】トリガーに手指をかけた状態を示す的当て遊技具の側面図。
【図２０】手指にてトリガーを引いた状態を示す的当て遊技具の側面図。
【実施例１】
【００１８】
本実施例の実施例１について以下に詳細に説明すると、図１に示す(1)はマグネット矢である。このマグネット矢(1)は、長尺な棒状の矢本体(2)の先端に、磁石(3)を設けたものである。即ち図２に示す如くこの矢本体(2)の先端外周に環状鍔(27)を設けるとともに、この環状鍔(27)よりも更に先端側には、断面Ｔ字型の短軸形状の係合部材(4)を突設し、この係合部材(4)の更に先端側に、磁石(3)を支持するための支持部材(5)を係合配置している。
【００１９】
この支持部材(5)は、底部側に係合部材(4)の先端を係合可能とする係合穴(6)を設けるとともに、先端側には磁石(3)を挿入配置可能とする挿入凹部(7)を設けている。そしてこの支持部材(5)は図２に示す如く、上記係合部材(4)の先端に半径方向に突設した係合部(8)が、上記支持部材(5)の係合穴(6)に係止するよう組みつけられている。またこの係合穴(6)の内径を、その内径を係合部材(4)との間に係合間隔(10)が形成される大きさとしている。そのため、この支持部材(5)は係合部材(4)に対して回動自在且つ摺動可能な状態で組みつけられている。
【００２０】
また、上記の如く形成した支持部材(5)の挿入凹部(7)内には円盤状の磁石(3)が固定配置され、この磁石(3)の表面側を露出している。またこのように形成した支持部材(5)と環状鍔(27)との間には、図２に示す如く、本実施例の弾性部材(11)であるＯリングを係合部材(4)に挿通した状態で配置している。
【００２１】
次に、本実施例の矢保持具(12)について説明すると、本実施例の矢保持具(12)は、図３に示す如く四角柱形状の筒型のケーシング(13)を備えている。またこのケーシング(13)内には、パイプ状の挿通筒(14)を挿通配置しており、この挿通筒(14)の先端(15)側を、ケーシング(13)の先端から突出するとともに、図４に示す如く後端(16)側がケーシング(13)内に位置するよう固定配置している。尚、この挿通筒(14)の内径は、上記マグネット矢(1)の矢本体(2)の外径よりも径大に形成するとともに、先端開口(17)を、マグネット矢(1)が挿入容易となるよう拡径している。
【００２２】
また図３〜５に示す如く、上記ケーシング(13)内の四隅には係合軸(18)を、このケーシング(13)の上板(20)と底板(21)との間に鉛直方向に架設しており、図５に示す如くこれらの係合軸(18)の間に上記挿通筒(14)を挿通配置している。またこれら４箇所の係合軸(18)の外周には、本発明の弾性帯(22)である幅広の輪ゴムを係合配置している。これにより、図４に示す如く、弾性帯(22)が挿通筒(14)の後端(16)に対向させた状態で、ケーシング(13)の後端開口部(30)を被覆するよう配置されるものとなる。
【００２３】
また図３に示す如く、上記ケーシング(13)の底面(23)には、手で把持可能な円筒状の把持部材(24)を鉛直下方に向けて固定配置している。またこの把持部材(24)からケーシング(13)の後端側に向けて、水平方向に延びるＬ字型の延設杆(25)を設けるとともに、この延設杆(25)の先端には、短尺な円筒状の掌当部(26)を、鉛直上方に固定配置している。
【００２４】
上記の如き構成の的当て遊技具を用いた本実施例の的当て遊技について説明する。まず、磁性体にて形成したシート状の標的(28)を、壁面に固定しておく。そして、図４に示す如くマグネット矢(1)を、矢保持具(12)の挿通筒(14)の先端(15)側から挿入配置する。この状態から更に、図６に示す如くマグネット矢(1)をケーシング(13)に設けた弾性帯(22)の付勢力に抗してケーシング(13)の後端側に手指などで引っ張り押圧することにより、マグネット矢(1)の後端側を弾性帯(22)とともにケーシング(13)の後端側から突出させる。そして、図６に示す如く掌当部(26)に掌を当てた状態で、上記の如くケーシング(13)から突出したマグネット矢(1)の後端側を、弾性帯(22)とともに手指でつまんで固定する。
【００２５】
そして、図７に示す如くマグネット矢(1)の先端を標的(28)に向けて狙いを定め、マグネット矢(1)をつまんでいた手指を離す。これにより、このマグネット矢(1)が弾性帯(22)の付勢力によって標的(28)方向に飛び出し、図８に示す如くこのマグネット矢(1)の磁石(3)が標的(28)に突き当たって接着固定される。
【００２６】
このように標的(28)にマグネット矢(1)を射た場合に、マグネット矢(1)の磁石(3)が標的(28)に当接するとともに、このマグネット矢(1)の反発力が、矢本体(2)の係合部材(4)と支持部材(5)との間の係合間隔(10)にて吸収されるものとなる。そのため、マグネット矢(1)は反発力によって標的(28)から脱落することなく、マグネット矢(1)を磁石(3)の力によって確実に標的(28)に接着させることができる。
【実施例２】
【００２７】
また、上記実施例１では、矢保持具(12)に挿通配置して手指で保持したマグネット矢(1)を手指から離すことにより、このマグネット矢(1)を標的(28)に向けて飛ばしているが、本実施例２では、矢保持具(12)にトリガー(31)を設け、このトリガー(31)を引くことによってこのマグネット矢(1)を標的(28)に向けて飛ばすことができるものである。
【００２８】
本実施例について説明する。まず、本実施例のマグネット矢(1)は、上記実施例１と同じものを使用している。また、本実施例の矢保持具(12)を構成するケーシング(13)及びその内部構成についても上記実施例１と同じである。即ち本実施例の矢保持具(12)は、図９に示す如く四角柱形状の筒型のケーシング(13)を備えている。またこのケーシング(13)内には、パイプ状の挿通筒(14)を挿通配置しており、この挿通筒(14)の先端(15)側を、ケーシング(13)の先端から突出するとともに、図１０に示す如く後端(16)側がケーシング(13)内に位置するよう固定配置している。尚、この挿通筒(14)の内径は、上記マグネット矢(1)の矢本体(2)の外径よりも径大に形成するとともに、先端開口(17)を、マグネット矢(1)が挿入容易となるよう拡径している。
【００２９】
また上記ケーシング(13)内の四隅には係合軸(18)を、このケーシング(13)の上板(20)と底板(21)との間に鉛直方向に架設しており、これらの係合軸(18)の間に上記挿通筒(14)を挿通配置している。またこの４箇所の係合軸(18)の外周には、本発明の弾性帯(22)である幅広の輪ゴムを係合配置している。これにより、図１０に示す如く、弾性帯(22)が挿通筒(14)の後端(16)に対向させた状態で、ケーシング(13)の後端開口部(30)を被覆するよう配置されるものとなる。
【００３０】
また本実施例のケーシング(13)の底面(23)側には、上記実施例１と同様に把持部材(24)を固定配置するとともに、長方形状の平板にて形成したトリガー(31)を、挿通筒(14)の先端開口(17)に臨ませて配置している。即ち、ケーシング(13)の把持部材(24)固定位置よりも先端側の底面(23)から鉛直下方に一対の支持杆(32)を立設固定し、この一対の支持杆(32)に、上記トリガー(31)を支持するための支持板ばね(33)の一端(34)を固定している。
【００３１】
そして、この支持板ばね(33)の他端(35)を、上記トリガー(31)の上端(36)側に略垂直方向に接続固定している。そして、この支持板ばね(33)とトリガー(31)との間には、トリガー板ばね(37)を介装している。即ちこのトリガー板ばね(37)は、図１０に示す如くその一端(40)側を支持板ばね(33)の支持杆(32)固定側に接続固定している。
【００３２】
またこのトリガー板ばね(37)の他端(41)側を、このトリガー板ばね(37)を内方に撓ませた状態で、トリガー(31)の内面(42)に接続固定している。また、上記トリガー(31)の上端(36)は、図１０に示す如く挿通筒(14)の先端開口(17)に近接した位置に配置している。また、本実施例では上記支持板ばね(33)とトリガー板ばね(37)とにより、本発明の板ばね(38)を構成している。上記の如くトリガー(31)及び板ばね(38)を矢保持具(12)に組み付けることにより、板ばね(38)によってトリガー(31)の下端(43)側がケーシング(13)とは離間方向に付勢されるものとなる。
【００３３】
上記の如き構成の的当て遊技具を用いた本実施例の的当て遊技について説明する。まず、磁性体にて形成したシート状の標的(28)を、壁面に固定しておく。そして、上記の如く形成した矢保持具(12)に、マグネット矢(1)を装着する。即ち、マグネット矢(1)を、このマグネット矢(1)の後端側から挿通筒(14)の内方に、この挿通筒(14)の先端開口(17)から挿通配置する。そしてこのマグネット矢(1)を、弾性帯(22)の付勢力に抗してケーシング(13)の後端よりも更に後方に突出させる。この状態で、トリガー(31)を板ばね(38)の付勢力に抗して把持部材(24)側に引くことにより、トリガー(31)の上端(36)と挿通筒(14)の先端開口(17)との間の間隔を広げる。そしてこの状態で、この間隔にマグネット矢(1)の環状鍔(27)を配置する。
【００３４】
そして、板ばね(38)の付勢力に従ってトリガー(31)を元位置に復元することにより、図１１に示す如くこのトリガー(31)の上端(36)がマグネット矢(1)の環状鍔(27)に係合するものとなる。これにより、矢保持具(12)に挿通配置したマグネット矢(1)が、トリガー(31)に設けた板ばね(38)の付勢力によって矢保持具(12)内に保持された状態が保たれる。尚、トリガー板ばね(37)の付勢力は、弾性帯(22)の付勢力よりも強いものとする。これにより矢保持具(12)へのマグネット矢(1)の装着が完了する。
【００３５】
そして図１１に示す如く、把持部材(24)を親指側で支持するとともに、親指以外の指をトリガー(31)にかけて、このトリガー(31)の下端(43)側を付勢力に抗して把持部材(24)側に引く。これにより、トリガー(31)の上端(36)と挿通筒(14)の先端開口(17)との間隔が広がるため、トリガー(31)とマグネット矢(1)の環状鍔(27)との係合が解除されるものとなる。これにより、マグネット矢(1)が弾性帯(22)の付勢力によって標的(28)方向に飛び、このマグネット矢(1)の磁石(3)が標的(28)に突き当たって図８に示す如く接着固定される。
【００３６】
このように標的(28)にマグネット矢(1)を射た場合に、マグネット矢(1)の磁石(3)が標的(28)に当接するとともに、このマグネット矢(1)の反発力が、矢本体(2)の係合部材(4)と支持部材(5)との間の係合間隔(10)にて吸収されるものとなる。そのため、マグネット矢(1)は反発力によって標的(28)から脱落することなく、マグネット矢(1)を磁石(3)の力によって確実に標的(28)に当接固定させることができる。
【００３７】
また、上記の如くトリガー(31)を設けることによって、マグネット矢(1)を矢保持具(12)に装着した状態で、矢保持具(12)を、両手を使うことなく片手で保持してマグネット矢(1)を容易に射ることができる。そのため、例えば両手が使えない場合であっても片手のみで標的(28)にマグネット矢(1)を放つことが可能となる。
【実施例３】
【００３８】
また、上記実施例２では、トリガー(31)を引いた状態でマグネット矢(1)を矢保持具(12)に装着するものであるが、本実施例ではトリガー(31)を引かずにマグネット矢(1)を矢保持具(12)に装着可能なものとしている。
【００３９】
本実施例について説明する。まず、本実施例のマグネット矢(1)は、上記実施例１と同じものを使用している。また、本実施例の矢保持具(12)を構成するケーシング(13)及びその内部構成についても上記実施例１と同じである。即ち本実施例の矢保持具(12)は、図１２に示す如く四角柱形状の筒型のケーシング(13)を備えている。
【００４０】
またこのケーシング(13)内には、パイプ状の挿通筒(14)を挿通配置しており、この挿通筒(14)の先端(15)側を、ケーシング(13)の先端から突出するとともに後端(16)側がケーシング(13)内に位置するよう固定配置している。尚、この挿通筒(14)の内径を、上記マグネット矢(1)の矢本体(2)の外径よりも径大に形成するとともに、先端開口(17)を、マグネット矢(1)が挿入容易となるよう拡径している。
【００４１】
また上記ケーシング(13)内の四隅には係合軸(18)を、このケーシング(13)の上板(20)と底板(21)との間に鉛直方向に架設しており、これらの係合軸(18)の間に上記挿通筒(14)を挿通配置している。またこの４箇所の係合軸(18)の外周には、本発明の弾性帯(22)である幅広の輪ゴムを係合配置している。これにより、弾性帯(22)を挿通筒(14)の後端(16)に対向させた状態で、ケーシング(13)の後端開口部(30)を被覆するよう配置されるものとなる。
【００４２】
また図１３に示す如く、本実施例のケーシング(13)の底面(23)側には、上記実施例２と同様に把持部材(24)を固定配置するとともに、長方形状の平板にて形成したトリガー(31)を、挿通筒(14)の先端開口(17)に臨ませて配置している。即ち、ケーシング(13)の把持部材(24)固定位置よりも先端側の底面(23)から鉛直下方に一対の支持杆(32)を立設固定し、この一対の支持杆(32)に、上記トリガー(31)を支持するための支持板ばね(33)の一端(34)を固定している。
【００４３】
そして、この支持板ばね(33)の他端(35)を、上記トリガー(31)の上端(36)側に略垂直方向に接続固定している。そして、この支持板ばね(33)とトリガー(31)との間には、トリガー板ばね(37)を介装している。即ちこのトリガー板ばね(37)は、図１３に示す如くその一端(40)側を支持板ばね(33)の支持杆(32)固定側に接続固定している。
【００４４】
またこのトリガー板ばね(37)の他端(41)側を、このトリガー板ばね(37)を内方に撓ませた状態で、トリガー(31)の内面(42)に接続固定している。また、上記トリガー(31)の上端(36)は、図１３に示す如く挿通筒(14)の先端開口(17)に近接した位置に配置している。また、本実施例では上記支持板ばね(33)とトリガー板ばね(37)とにより、本発明の板ばね(38)を構成している。上記の如くトリガー(31)及び板ばね(38)を矢保持具(12)に組み付けることにより、板ばね(38)によってトリガー(31)の下端(43)側がケーシング(13)とは離間方向に付勢されるものとなる。
【００４５】
また図１２、１３に示す如く、把持部材(24)からトリガー(31)側に向けて、平板状の支持プレート(44)を設けており、この支持プレート(44)の一端(45)を把持部材(24)の底面に固定配置している。またこの支持プレート(44)の他端(46)側を垂直上方に折曲することにより、折曲部(47)を設けるとともにこの折曲部(47)にはプレート貫通穴(48)を設けている。また、トリガー(31)の下端(43)側には上記プレート貫通穴(48)の対向位置にトリガー貫通穴(50)を設けており、このトリガー貫通穴(50)とプレート貫通穴(48)に係合軸(51)を挿通配置している。そしてこの係合軸(51)の両端外周にはそれぞれ係合環(52)を設けており、この各係合環(52)をそれぞれ支持プレート(44)の折曲部(47)とトリガー(31)とに係合している。
【００４６】
そして、トリガー(31)が把持部材(24)と平行に配置されるよう、上記係合軸(51)の長さを調節しており、トリガー(31)は、トリガー板ばね(37)の付勢力に抗して係合環(52)に係合した状態としている。
【００４７】
またトリガー(31)の上端(36)には、図１５〜１６に示す如く回動プレート(53)を設けている。この回動プレート(53)は、トリガー(31)の上端(36)側の内面(42)にトリガー(31)と平行に軸支され、トリガー(31)側から挿通筒(14)側に回動自在に軸支されている。またこの回動プレート(53)の先端(54)側を、トリガー(31)の上端(36)よりも突出するよう配置している。更にこの回動プレート(53)の内面(55)には、弾性体(56)を設けている。
【００４８】
この弾性体(56)は、先端に突出鍔(57)を設けた中心軸(58)と、この中心軸(58)の外周に弾性材(60)を設けて成るものである。そしてこの弾性材(60)は、回動プレート(53)の内面(55)と、中心軸(58)の突出鍔(57)との間に圧縮方向に付勢した状態で配置している。そのため、この弾性材(60)の弾性力により回動プレート(53)をトリガー(31)の内面(42)側に付勢している。
【００４９】
上記の如き構成の的当て遊技具を用いた本実施例の的当て遊技について説明する。まず、磁性体にて形成したシート状の標的(28)を、壁面に固定しておく。そして、上記の如く形成した矢保持具(12)に、マグネット矢(1)を装着する。即ち、マグネット矢(1)を、このマグネット矢(1)の後端側から挿通筒(14)の内方に、この挿通筒(14)の先端開口(17)から挿通配置する。そしてこのマグネット矢(1)を弾性帯(22)の付勢力に抗して手指で押圧することにより、このマグネット矢(1)の後端側をケーシング(13)の後端よりも更に後方に突出させる。
【００５０】
これにより、図１６に示す如くマグネット矢(1)の環状鍔(27)がトリガー(31)に近接する。そして更にマグネット矢(1)を押圧することにより、マグネット矢(1)の環状鍔(27)が回動プレート(53)の先端(54)に当接するとともに、図１７に示す如く回動プレート(53)が弾性材(60)の付勢力に抗して挿通筒(14)の先端開口(17)側に回動し、更にマグネット矢(1)を押圧することにより、このマグネット矢(1)の環状鍔(27)が回動プレート(53)を乗り越えるものとなる。
【００５１】
そして、この環状鍔(27)が回動プレート(53)を乗り越えた後にマグネット矢(1)の押圧を解除することにより、図１８に示す如くこの環状鍔(27)が弾性帯(22)の付勢力によって回動プレート(53)側に押圧されてこの回動プレート(53)に当接し、係止するものとなる。これにより、マグネット矢(1)の矢保持具(12)への装着が完了する。
【００５２】
そして図１９に示す如く、把持部材(24)を親指側で支持するとともに、親指以外の指をトリガー(31)にかけて、このトリガー(31)を板ばね(38)の付勢力に抗して把持部材(24)側に引く。これにより、図２０に示す如くトリガー(31)の上端(36)と挿通筒(14)の先端開口(17)との間隔が広がるため、トリガー(31)に設けた回動プレート(53)とマグネット矢(1)の環状鍔(27)との係合が解除されるものとなる。これにより、マグネット矢(1)が弾性帯(22)の付勢力によって標的(28)方向に飛び、このマグネット矢(1)の磁石(3)が標的(28)に突き当たって図８に示す如く接着固定される。
【００５３】
このように標的(28)にマグネット矢(1)を射た際に、マグネット矢(1)の磁石(3)が標的(28)に当接するとともに、このマグネット矢(1)の反発力が、矢本体(2)の係合部材(4)と支持部材(5)との間の係合間隔(10)にて吸収されるものとなる。そのため、マグネット矢(1)は反発力によって標的(28)から脱落することなく、マグネット矢(1)を磁力によって確実に標的(28)に接着させることができる。
【００５４】
また、上記の如くトリガー(31)に回動プレート(53)を設けることによって、マグネット矢(1)を挿通筒(14)に挿入配置する際にトリガー(31)を引くことなく回動プレート(53)を回動させるのみで、トリガー(31)にマグネット矢(1)の環状鍔(27)を容易に係合させることができる。そのため、トリガー(31)を操作することなくマグネット矢(1)を矢保持具(12)の挿通筒(14)に容易に装着することが可能となる。
【００５５】
尚、本実施例３及び上記実施例１、２では矢保持具(12)を用いて的当て遊技を行っているが、他の異なる実施例ではこれに限らず、矢保持具(12)を用いることなく、手指でマグネット矢(1)を持ってそのまま標的(28)に向かって投てきする的当て遊技を行うことも可能である。
【符号の説明】
【００５６】
１  マグネット矢
２  矢本体
３  磁石
４  係合部材
５  支持部材
１０  係合間隔
１１  弾性部材
１２  矢保持具
１３  ケーシング
１４  挿通筒
１５  先端
１６  後端
１７  先端開口
２２  弾性帯
２３  底面
２４  把持部材
２５  延設杆
２６  掌当部
２７  環状鍔
２８  標的
３１  トリガー
３３  支持板ばね
３６  上端(トリガー)
３７  トリガー板ばね
３８  板ばね
４２  内面
５３  回動プレート
５４  先端
５６  弾性体
【図１】
2019213838.tif 000003
【図２】
2019213838.tif 000004
【図３】
2019213838.tif 000005
【図４】
2019213838.tif 000006
【図５】
2019213838.tif 000007
【図６】
2019213838.tif 000008
【図７】
2019213838.tif 000009
【図８】
2019213838.tif 000010
【図９】
2019213838.tif 000011
【図１０】
2019213838.tif 000012
【図１１】
2019213838.tif 000013
【図１２】
2019213838.tif 000014
【図１３】
2019213838.tif 000015
【図１４】
2019213838.tif 000016
【図１５】
2019213838.tif 000017
【図１６】
2019213838.tif 000018
【図１７】
2019213838.tif 000019
【図１８】
2019213838.tif 000020
【図１９】
2019213838.tif 000021
【図２０】
2019213838.tif 000022
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
長尺な棒状の矢本体と、この矢本体の先端軸方向に突設した短軸形状の係合部材と、この係合部材の先端に、係合間隔を設けて回動自在且つ摺動可能に係合配置した支持部材と、この支持部材の先端に固定配置した磁石とを備えたことを特徴とするマグネット矢。
【請求項２】
筒状のケーシング、このケーシング内に挿通固定した挿通筒、この挿通筒の後端側に配置した弾性帯、及び上記ケーシングの底面に設けた把持部材を備えた矢保持具と、この矢保持具の挿通筒内に上記弾性帯の位置まで挿通可能とする長尺な棒状の矢本体、この矢本体の先端軸方向に突設した短軸形状の係合部材、この係合部材の先端に、係合間隔を設けて回動自在且つ摺動可能に係合配置した支持部材、この支持部材の先端に固定配置した磁石を備えたマグネット矢とから成ることを特徴とする的当て遊技具。
【請求項３】
矢本体の先端外周に環状鍔を突設したことを特徴とする請求項１、または２のマグネット矢。
【請求項４】
矢本体の先端と支持部材との間には、弾性部材を備えたことを特徴とする請求項１、２、または３に記載のマグネット矢。
【請求項５】
矢保持具には、装着部材の把持部材からケーシングの後端側に延設杆を介して固定配置した掌当部を設け、この矢保持具の挿通筒の先端開口からマグネット矢を挿通し、このマグネット矢を上記弾性帯の付勢力に抗してケーシングの後端側に引き寄せた状態で、このマグネット矢の後端を、上記弾性帯を介して掌当部側から手指で把持固定し、標的に向けて上記手指をマグネット矢から離すことにより、このマグネット矢を上記弾性帯の付勢力により標的に向けて飛ばす的当て遊技を行うことを特徴とする請求項２に記載の的当て遊技具。
【請求項６】
矢保持具には、上記挿通筒の先端開口に望ませて先端部を配置するとともに上記弾性帯よりも付勢力の強い板ばねを介して基端部側をケーシングに接続した平板状のトリガーを設け、この矢保持具の挿通筒にマグネット矢を挿通し、このマグネット矢を上記弾性帯の付勢力に抗してケーシングの後端側に引き寄せた状態で、このマグネット矢の環状鍔を上記トリガーの上端に係合し、このマグネット矢を上記板ばねの付勢力によって挿通筒内に位置固定した状態で、標的に向けてトリガーを引くことによって、このマグネット矢を弾性帯の付勢力により標的に向けて飛ばす的当て遊技を行うことを特徴とする請求項２に記載の的当て遊技具。
【請求項７】
トリガー先端の挿通筒側である内面側には回動プレートを、この回動プレートの先端がトリガーの上端よりも突出するよう軸支して、この回動プレートを挿通筒側に回動自在とするとともに、この回動プレートには、挿通筒の対向面に、この回動プレートをトリガー側に付勢する弾性体を固定配置したことを特徴とする請求項６に記載の的当て遊技具。